(57)【要約】【課題】ビル等の大規模な窓環境だけでなく、一戸建ての家屋や商業店舗などの小規模な窓環境に対しても、自動制御のための初期設定を容易に行う。【解決手段】遮蔽装置１１が、日射遮蔽体１１ａと、この日射遮蔽体１１ａを駆動する駆動装置とを有する。駆動装置を制御するコントローラ１２が駆動装置に電気的に接続され、駆動装置を制御するために必要な情報が記憶されたメモリがコントローラ１２に設けられる。上記必要な情報をコントローラ１２を介しメモリに記憶させて初期設定を行う設定装置１８が、コントローラ１２と無線通信可能なスマートフォン等からなる移動通信端末装置であり、上記必要な情報が予め設定装置１８の有する機能から得られた情報を含む。また設定装置１８は、予め設定装置１８の有する機能から得られた情報をコントローラ１２を介してメモリに記憶するように構成される。【選択図】図１
2016053255.tif 000002
【特許請求の範囲】
【請求項１】
日射遮蔽体とこの日射遮蔽体を駆動する駆動装置とを有する遮蔽装置と、前記駆動装置に電気的に接続され前記駆動装置を制御するコントローラと、前記コントローラに設けられ前記駆動装置を制御するために必要な情報が記憶されたメモリとを備えた電動日射遮蔽装置において、
前記必要な情報を前記コントローラを介し前記メモリに記憶させて初期設定を行う設定装置を更に備え、
前記設定装置が、前記コントローラと無線通信可能なスマートフォン、携帯電話機又はタブレットのいずれかからなる移動通信端末装置であり、
前記必要な情報が予め設定装置の有する機能から得られた情報を含み、
前記設定装置が、前記予め設定装置の有する機能から得られた情報を前記コントローラを介して前記メモリに記憶するように構成された
ことを特徴とする電動日射遮蔽装置。
【請求項２】
前記設定装置が、前記日射遮蔽体の位置する緯度及び経度に関する情報を前記メモリに記憶するためのＧＰＳ機能、前記日射遮蔽体の取付けられた方位に関する情報を前記メモリに記憶するためのコンパス機能、及び現在時刻に関する情報を前記メモリに記憶するための時刻同期機能からなる群より選ばれた１種又は２種以上の機能を予め有する請求項１記載の電動日射遮蔽装置。
【請求項３】
前記遮蔽装置が複数設けられ、前記コントローラが、前記複数の遮蔽装置の各駆動装置に電気的に接続され前記各駆動装置をそれぞれ個別に制御する複数の駆動用コントローラと、前記複数の駆動用コントローラを介して前記複数の駆動装置を統括して制御する１又は２以上のメインコントローラとを有する請求項１記載の電動日射遮蔽装置。
【請求項４】
前記日射遮蔽体における日射の有無、紫外線照射の有無、及び外気温度からなる群より選ばれた１種又は２種以上の環境情報を検出する環境センサを更に備え、前記コントローラが前記環境センサの検出出力と前記メモリに記憶された情報とに基づいて前記駆動装置を制御するように構成された請求項１記載の電動日射遮蔽装置。
【発明の詳細な説明】
【技術分野】
【０００１】
本発明は、スラットの傾斜角度及びスラットの昇降を電動で制御可能な電動ブラインドや、スクリーン本体の昇降を電動で制御可能な電動ロールスクリーン等の電動日射遮蔽装置に関するものである。
【背景技術】
【０００２】
従来、昇降動作を電動モータを用いて行い、高さ位置を制御する制御器を備え、室内への日射入射距離の変動に応じて電動ブラインド及びロールスクリーンの高さ制御を行う電動ブラインド等の制御方式が開示されている（例えば、特許文献１参照。）。この電動ブラインド等の制御方式では、窓の上部に設けられた庇等の突出部の影を考慮して室内への日射入射距離を算出し、この算出された室内への日射入射距離が、予め設定した許容日射入射距離以下であるときはスラットを水平とし、許容日射入射距離を超えるときはスラットを傾斜させるように構成される。但し、上記日射入射距離の算出の前提として、部屋の緯度、経度及び方位、並びに時刻に基づいて、そのときの太陽位置、即ち太陽の高度及び方位が算出される。
【０００３】
具体的には、時間経過に基づく太陽高度の変化による日射入射の変動に対する制御動作は、予め制御するブラインド等を備えた窓に関する条件（設定値）、即ち上記電動ブラインド等を設置したビルにおいて、窓に対する遮光作用に影響を与える庇等の構造に関する条件（設定値）を制御器に入力する。ここで、ＨＦを床から窓の下端までの高さとし、ＨＷを窓の高さとし、ＨＨを窓の上端から庇までの高さとし、ＬＥを庇の張出長さとし、ＮＡを予め設定した室内への許容日射の入射距離とする。このとき庇の張出長さＬＥが０より大きい場合、太陽高度ＪＪについて次の式により判定を行う。
Ｆ＝ＪＪ−［π／２−tan-1｛（ＬＥ＋ＮＡ）／（ＨＨ＋ＨＷ＋ＨＦ）｝］
即ち、上記式のＦが０以上であるか否かを判定し、予め設定した室内への許容日射の入射距離ＮＡ以上の日射が室内に入射したか否かを判定する。Ｆ≧０であれば、室内への日射の入射距離が予め設定した室内への許容日射の入射距離ＮＡ以下であり、室内への日射が許容範囲内であると判定する。逆に、Ｆ＜０であれば、室内への日射の入射距離が長く、予め設定した室内への許容日射の入射距離ＮＡを超えており、室内への日射の入射距離が過大であると判定する。
【０００４】
上述のように、窓の上部に設けられた庇等の突出部の影を考慮して室内への日射の入射距離を算出し、算出された室内への日射の入射距離が、予め設定した許容日射の入射距離以下であるときはスラットを水平とし、許容日射の入射距離を超えるときはスラットを傾斜させることにより、庇等の突出部の影を考慮して制御することで十分な採光機能を備えるとともに、不要な光の入射を防ぐことができるようになっている。
【０００５】
一方、ブラインドコントローラがタイマ及びメモリを内蔵する中央制御部を備え、この中央制御部に、電動ブラインドが設置される窓面の地球上位置、方位を設定する複数のディップスイッチと、電源部と、昇降用モータドライバと、角度調整用モータドライバとが接続され、中央制御部は、所定の時間間隔で、窓面の緯度、経度、方位の設定値及び日時に基づいて窓面に対する太陽位置を計算し、太陽位置計算値に基づいてスラット角度を計算し、スラット角度計算値に基づいてスラット角度の調整を行う電動ブラインドが開示されている（例えば、特許文献２参照。）。この電動ブラインドでは、窓面の地球上位置の設定値は、緯度アドレスと、経度アドレスとからなり、日本全体は１６の緯度アドレスと１６の経度アドレスに区分され、緯度アドレスは緯度ディップスイッチに設定され、経度アドレスは経度ディップスイッチに設定される。
【０００６】
このように構成された電動ブラインドでは、個別の電動ブラインドとは別に設けられ太陽位置を計算しその計算結果に基づいて個別の電動ブラインドに制御信号を送信するメインコンピュータが不要であるため、このメインコンピュータから個別の電動ブラインドまでの通信回路や、この通信回路の配線工事も不要となり、設置コストを低減できる。また、設置窓面の地球上の位置及び方位は、パーソナルコンピュータを介して入力する必要がなく、ディップスイッチにより設定できるため、施工も著しく容易に行えるようになっている。
【先行技術文献】
【特許文献】
【０００７】
【特許文献１】特開２０００−０５４７６２号公報（請求項１、請求項５、段落［０００３］、［００１１］、［００１２］、図１）
【特許文献２】特開２００６−１６１３０９号公報（請求項１、請求項３、段落［０００２］、［０００５］、図１〜図３）
【発明の概要】
【発明が解決しようとする課題】
【０００８】
上記従来の特許文献１に示された電動ブラインド等の制御方式や、従来の特許文献２に示された電動ブラインドでは、ブラインド等の自動制御に用いられるパラメータのうち、窓の方位情報（窓の向き）及び窓の位置（窓の緯度及び経度）は、太陽と窓の位置関係を決定するための特に重要なパラメータである。しかし、上記従来の特許文献１に示された電動ブラインド等の制御方式や、従来の特許文献２に示された電動ブラインドでは、ブラインド等を設置する窓環境に合せた上記情報の最適値を特別な設定機器を用いて、手入力により初期設定する必要があり、比較的煩わしい不具合があった。また、上記従来の特許文献１に示された電動ブラインド等の制御方式や、従来の特許文献２に示された電動ブラインドでは、太陽位置を計算するために不可欠な情報である正確な現在時刻を得るために、この正確な現在時刻を持つ比較的高価なシステムを構築する必要があるという問題点があった。このようにブラインド等の自動制御のための初期設定が、高価で手間の掛かる作業とならざるを得ず、ビルなどの大規模な窓環境への導入は比較的容易であるけれども、一戸建ての家屋や商業店舗など小規模な窓環境への導入は困難であった。更に、従来の特許文献２に示された電動ブラインドでは、中央制御装置に入力するための特別な設定機器は不必要であるけれども、ハードウエアスイッチの設定の際に、適切なパラメータを選定しなければならず、未だ手入力により初期設定する必要があり、煩わしい問題点があった。
【０００９】
本発明の第１の目的は、移動通信端末装置からなる設定装置の有する情報をそのまま窓の情報として用いることにより、特別な設定機器を用いず、また上記必要な情報を手入力する必要がなく、自動制御のための初期設定を容易に行うことができる、電動日射遮蔽装置を提供することにある。本発明の第２の目的は、正確な現在時刻を持つ比較的高価なシステムを構築せずに済み、またビル等の大規模な窓環境だけでなく、一戸建ての家屋や商業店舗などの小規模な窓環境にも容易に導入できる、電動日射遮蔽装置を提供することにある。本発明の第３の目的は、ハードウエアスイッチの設定を行わずに済み、これにより自動制御のための初期設定の工数を低減でき、初期設定の作業性を向上できる、電動日射遮蔽装置を提供することにある。
【課題を解決するための手段】
【００１０】
近年、スマートフォン、携帯電話機又はタブレットなどの移動通信端末装置は、標準的な機能として、ＧＰＳ（Global Positioning System）機能、コンパス機能、時刻同期機能、及び無線通信機能を有し、これらの機能は、自動制御システムにとって偶然にも重要な情報となっており、上記ＧＰＳ機能によって、移動通信端末装置の緯度及び経度を把握でき、上記コンパス機能によって、移動通信端末装置が向いている方角を把握でき、上記時刻同期機能によって、精度の高い現在時刻を把握できることから、本発明をなすに至った。
【００１１】
本発明の第１の観点は、図１及び図２に示すように、日射遮蔽体１１ａとこの日射遮蔽体１１ａを駆動する駆動装置とを有する遮蔽装置１１と、駆動装置に電気的に接続され駆動装置を制御するコントローラ１２と、コントローラ１２に設けられ駆動装置を制御するために必要な情報が記憶されたメモリとを備えた電動日射遮蔽装置において、上記必要な情報をコントローラ１２を介しメモリに記憶させて初期設定を行う設定装置１８を更に備え、この設定装置１８が、コントローラ１２と無線通信可能なスマートフォン、携帯電話機又はタブレットのいずれかからなる移動通信端末装置であり、上記必要な情報が予め設定装置１８の有する機能から得られた情報を含み、設定装置１８が、予め設定装置１８の有する機能から得られた情報をコントローラ１２を介してメモリに記憶するように構成されたことを特徴とする。なお、本明細書において、スマートフォンとは、音声通話のほか、ウェブブラウザによるウェブサイトの閲覧、電子メールの送受信、文書ファイルの作成及び閲覧、写真・音楽及び動画の再生などを行うことができる情報機器をいう。また、タブレットとは、薄い板状のパソコンやモバイル端末の総称であり、液晶ディスプレイの表示画面で画面にタッチすることで操作可能なインターフェースを搭載した持ち運び可能なコンピュータをいう。
【００１２】
本発明の第２の観点は、第１の観点に基づく発明であって、更に図１及び図２に示すように、設定装置１８が、日射遮蔽体１１ａの位置する緯度及び経度に関する情報をメモリに記憶するためのＧＰＳ機能、日射遮蔽体１１ａの取付けられた方位に関する情報をメモリに記憶するためのコンパス機能、及び現在時刻に関する情報をメモリに記憶するための時刻同期機能からなる群より選ばれた１種又は２種以上の機能を予め有することを特徴とする。
【００１３】
本発明の第３の観点は、第１の観点に基づく発明であって、更に図１に示すように、遮蔽装置１１が複数設けられ、コントローラ１２が、複数の遮蔽装置１１の各駆動装置に電気的に接続され各駆動装置をそれぞれ個別に制御する複数の駆動用コントローラ１６と、複数の駆動用コントローラ１６を介して複数の駆動装置を統括して制御する１又は２以上のメインコントローラ２１，２２とを有することを特徴とする。
【００１４】
本発明の第４の観点は、第１の観点に基づく発明であって、更に図１に示すように、日射遮蔽体１１ａにおける日射の有無、紫外線照射の有無、及び外気温度からなる群より選ばれた１種又は２種以上の環境情報を検出する環境センサ３１，３２を更に備え、コントローラ１２が環境センサ３１，３２の検出出力とメモリに記憶された情報とに基づいて駆動装置を制御するように構成されたことを特徴とする。
【発明の効果】
【００１５】
本発明の第１の観点の電動日射遮蔽装置では、遮蔽装置の駆動装置を制御するために必要な情報をコントローラを介してメモリに記憶させることにより初期設定を行う設定装置が、コントローラと無線通信可能なスマートフォン等の移動通信端末装置であり、上記必要な情報が予め設定装置の有する機能から得られた情報を含むので、実際に遮蔽装置を設置する窓の付近で、窓が正面となるように移動通信端末装置からなる設定装置をその窓に向け、この設定装置が、予め設定装置の有する機能から得られた情報を無線通信によりコントローラを介してメモリに記憶する。この結果、予め移動通信端末装置からなる設定装置の有する上記必要な情報をそのまま上記窓の情報として用いることができるので、特別な設定機器を用いず、また上記必要な情報を手入力する必要がなく、遮蔽装置を自動制御するための初期設定を容易に行うことができる。また、ハードウエアスイッチの設定の際に、適切なパラメータを選定しなければならず、未だ手入力により初期設定する必要があった従来の電動ブラインドと比較して、本発明では、ハードウエアスイッチの設定を行わずに済むので、自動制御のための初期設定の工数を低減でき、初期設定の作業性を向上できる。
【００１６】
本発明の第２の観点の電動日射遮蔽装置では、設定装置が、ＧＰＳ機能、コンパス機能、及び時刻同期機能からなる群より選ばれた１種又は２種以上の機能を予め有するので、遮蔽装置を設置する窓の情報である窓の緯度及び経度並びに窓の方位を設定するための特別な設定機器を用いず、また従来必要であった正確な現在時刻を持つ高価なシステムを構築せずに、駆動装置を自動制御するための初期設定を容易に行うことができる。この結果、ビル等の大規模な窓環境だけでなく、一戸建ての家屋や商業店舗などの小規模な窓環境への導入が容易になり、快適な居住環境への一助となる。また、商業店舗では、従業員の省力化、店舗内の照明負荷の軽減、店舗内の空調負荷の軽減に繋がる。
【００１７】
本発明の第３の観点の電動日射遮蔽装置では、複数の駆動用コントローラが各駆動装置をそれぞれ個別に制御し、１又は２以上のメインコントローラが複数の駆動用コントローラを介して複数の駆動装置を統括するので、窓に複数の遮蔽装置を取付けた場合、各駆動装置を制御するための初期設定を、移動通信端末装置からなる設定装置から無線通信により、各駆動用コントローラに対してではなく、１又は２以上のメインコントローラに対して行えばよく、上記初期設定を容易に行うことができる。
【００１８】
本発明の第４の観点の電動日射遮蔽装置では、日射遮蔽体における日射の有無等の環境情報を検出する環境センサの検出出力とメモリに記憶された情報とに基づいて、コントローラが駆動装置を制御するように構成したので、コントローラがメモリに記憶された情報から太陽の高度及び方位を算出したときに、本来であれば、直射日光が窓から室内に照射されるため、日射遮蔽体であるスラットの角度を起立するように回転させたり、或いは日射遮蔽体であるスクリーンを下降させるべきであるところ、太陽が雲に隠れたり、或いは太陽が周囲の建物に隠れて、太陽光が窓に照射されないことを環境センサが検出すると、コントローラがこの環境センサの検出出力に基づいて駆動装置を制御し、日射遮蔽体であるスラットの角度を水平になるように回転させたり、或いは日射遮蔽体であるスクリーンを上昇させる。この結果、直射日光が窓から入射することなく、室内を明るくすることができるので、室内を常に最適な明るさに維持できる。
【図面の簡単な説明】
【００１９】
【図１】本発明実施形態の電動日射遮蔽装置のメインコントローラのメモリにスマートフォンを用いて初期設定のための情報を記憶している状態を示す構成図である。
【図２】そのスマートフォンを用いて初期設定のための情報をメインコントローラのメモリに記憶する手順を示すフローチャートである。
【図３】その電動日射遮蔽装置の横型ブラインドが取付けられる窓を含む建物の要部縦断面図である。
【図４】図３のＡ−Ａ線断面図である。
【発明を実施するための形態】
【００２０】
次に本発明を実施するための形態を図面に基づいて説明する。図１に示すように、電動日射遮蔽装置１０は、日射遮蔽体１１ａとこの日射遮蔽体１１ａを駆動する駆動装置とを有する遮蔽装置１１と、駆動装置に電気的に接続され駆動装置を制御するコントローラ１２と、コントローラ１２に設けられ駆動装置を制御するために必要な情報が記憶されたメモリとを備える。遮蔽装置１１は、この実施の形態では、５台の電動ブラインドである。電動ブラインド１１は、窓１３ａ，１４ａの上方の壁１３，１４に取付けられたヘッドボックス１１ｂと、このヘッドボックス１１ｂから垂下された一対のラダーコード（図示せず）と、一対のラダーコードにこれらの長手方向に所定の間隔をあけて水平方向に延びて支持された複数のスラット１１ａ（日射遮蔽体）と、スラット１１ａを昇降させる昇降コード（図示せず）と、昇降コードの下端に水平方向に延びて設けられ自重により昇降コードに張力を付与するウエイト部材１１ｃとをそれぞれ有する。また各ヘッドボックス１１ｂには、昇降コードを昇降駆動して複数のスラット１１ａを昇降するとともにラダーコードを昇降駆動して複数のスラット１１ａの傾斜角度を変更する図示しない電動モータ（駆動装置）が内蔵される。
【００２１】
一方、上記５台の電動ブラインド１１が取付けられる部屋は、互いに直交する左側の壁１３及び右側の壁１４にそれぞれ設けられた左側の窓１３ａ及び右側の窓１４ａを有する。そして５台の電動ブランド１１のうち３台の電動ブラインド１１は左側の窓１３ａに並んで取付けられ、残りの２台の電動ブラインド１１は右側の窓１４ａに並んで取付けられる。上記コントローラ１２は、この実施の形態では、制御出力が５台の電動モータにそれぞれ電気的に接続され５台の電動モータをそれぞれ個別に制御する５台の駆動用コントローラ１６と、５台の駆動用コントローラ１６を介して５台の電動モータを統括して制御する２台の第１及び第２メインコントローラ２１，２２とを有する。上記駆動用コントローラ１６は、ヘッドボックス１１ｂに内蔵されるけれども、図１では分かり易くするために、ヘッドボックス１１ｂ上に載置した状態で描かれている。また第１メインコントローラ２１は、左側の壁１３上部にモニタを含む操作盤（図示せず）が室内に露出するように埋め込まれ、第２メインコントローラ２２は、右側の壁１４上部にモニタを含む操作盤（図示せず）が室内に露出するように埋め込まれる。更に第１メインコントローラ２１の制御出力は、左側の窓１３ａに並んで取付けられた３台の電動ブラインド１１のヘッドボックス１１ｂにそれぞれ内蔵された３台の駆動用コントローラ１６の制御入力に通信線１７を介して電気的に接続され、第２メインコントローラ２２の制御出力は、右側の窓１４ａに並んで取付けられた２台の電動ブラインド１１のヘッドボックス１１ｂにそれぞれ内蔵された２台の駆動用コントローラ１６の制御入力に通信線１７を介して電気的に接続される。
【００２２】
一方、左側の窓１３ａにはこの窓１３ａへの日射の有無を検出する第１照度センサ３１が設けられ、右側の窓１４ａにはこの窓１４ａへの日射の有無を検出する第２照度センサ３２が設けられる。これらの照度センサ３１，３２には、図示しない太陽電池により電力が供給される。第１照度センサ３１の検出出力は第１メインコントローラ２１の制御入力に無線通信により送信され、第２照度センサ３２の検出出力は第２メインコントローラ２２の制御入力に無線通信により送信される。また第１及び第２メインコントローラ２１，２２には第１及び第２メモリ（図示せず）がそれぞれ設けられる。そして左側の窓１３ａに取付けられた３台の電動ブラインド１１の電動モータを制御するために必要な情報は、第１メインコントローラ２１を介して第１メモリに記憶され、右側の窓１４ａに取付けられた２台の電動ブラインド１１の電動モータを制御するために必要な情報は、第２メインコントローラ２２を介して第２メモリに記憶される。
【００２３】
上記必要な情報を第１及び第２メモリに記憶させる初期設定は、この実施の形態では、設定装置１８として無線通信端末装置であるスマートフォンを用いて無線通信により行われる。ここで、スマートフォン１８と第１及び第２メインコントローラ２１，２２との間でデータ等の送受信を行う無線通信規格としては、ブルートゥース通信、無線ＬＡＮ通信、赤外線通信などの規格が挙げられる。そして、これらの無線通信の規格は、セキュリティを確保するため、パスワードの設定機能を有する。またスマートフォン１８には、上記初期設定を行うためのアプリケションソフトがインストールされる。このアプリケーションソフトにより、電動モータの自動制御に必要なパラメータ、各窓１３ａ，１４ａの環境パラメータ、自動制御する電動モータの番号などを無線通信で第１及び第２メモリにそれぞれ設定される。更に上記必要な情報には、予めスマートフォン１８の有する機能から得られた情報が含まれる。即ち、スマートフォン１８は、スラット１１ａの位置する緯度及び経度に関する情報を第１及び第２メモリにそれぞれ記憶するためのＧＰＳ機能、スラット１１ａの取付けられた方位に関する情報を第１及び第２メモリにそれぞれ記憶するためのコンパス機能、及び現在時刻に関する情報を第１及び第２メモリにそれぞれ記憶するための時刻同期機能からなる群より選ばれた１種又は２種以上の機能を予め有する。この実施の形態では、スマートフォン１８は、ＧＰＳ機能、コンパス機能及び時刻同期機能の全てを予め有するので、スマートフォン１８の有する機能から得られた情報は、スラット１１ａの位置する緯度及び経度、スラット１１ａの取付けられた方位、及び現在時刻に関する情報である。そしてスマートフォン１８は、予めスマートフォン１８の有する機能から得られた情報、即ちスラット１１ａの位置する緯度及び経度、スラット１１ａの取付けられた方位、及び現在時刻に関する情報を第１及び第２メインコントローラ２１，２２を介して第１及び第２メモリにそれぞれ記憶するように構成される。
【００２４】
一方、スマートフォン１８にインストールされたアプリケーションソフトでは、予めスマートフォン１８の有する機能から得られた情報とともに、電動モータの自動制御に必要なパラメータや、各窓１３ａ，１４ａの環境パラメータを設定可能に構成される。即ち、図３及び図４に示すように、上記アプリケーションソフトを用いて、電動ブラインド１１が取付けられた窓１３ａ，１４ａからの太陽光の入射に影響を与える窓周囲の突出部等の構造に関する条件（設定値）を予め設定することにより、太陽１９の方位及び高度の変化による窓１３ａ，１４ａから室内への太陽光の入射距離の変化を算出できるように構成される。具体的には、アプリケーションソフトを起動して、図３に示すような画面を表示すると、この表示画面において、床２３から窓１３ａ，１４ａの下端までの高さＨ1（ｃｍ）と、窓１３ａ，１４ａの高さＨ2（ｃｍ）と、窓１３ａ，１４ａの上端から庇１３ｂ，１４ｂまでの高さＨ3（ｃｍ）と、庇１３ｂ，１４ｂの張出長さＬ（ｃｍ）と、予め設定した室内への太陽光の許容入射距離Ｓとに実際の数値（寸法）を入力可能に構成される。そしてこれらの数値（寸法）を入力することにより、太陽１９の高度θ（ラジアン）の変化に基づく窓１３ａ，１４ａから室内への太陽光の入射距離の判定を次の式（１）により行うことができる。
Ｆ＝θ−［π／２−tan-1｛（Ｌ＋Ｓ）／（Ｈ1＋Ｈ2＋Ｈ3）｝］    ……（１）
太陽１９の高度θが変化してＦが０以上になれば、窓１３ａ，１４ａから室内への太陽光の入射距離が許容入射距離Ｓ以下となり、窓１３ａ，１４ａから室内への太陽光の入射距離が許容範囲内であると判定され、Ｆが０未満になれば、窓１３ａ，１４ａから室内への太陽光の入射距離が許容入射距離Ｓより長くなり、窓１３ａ，１４ａから室内への太陽光の入射距離が過大であると判定される。なお、現在の太陽１９の高度θ1（ラジアン）は、スマートフォン１８の有するＧＰＳ機能及び時刻同期機能と、１年における日時の変化に対する太陽高度の変化を示すマップとにより算出される。
【００２５】
また、アプリケーションソフトを起動して、図４に示すような画面を表示すると、この表示画面において、窓１３ａ，１４ａの左側縁を形成する左側の柱１３ｃ，１４ｃのうち窓１３ａ，１４ａに対して外側に突出した部分の長さＭ1（ｃｍ）と、窓１３ａ，１４ａの右側縁を形成する右側の柱１３ｄ，１４ｄのうち窓１３ａ，１４ａに対して外側に突出した部分の長さＭ2（ｃｍ）と、窓１３ａ，１４ａの幅Ｂ（ｃｍ）と、窓面の左側の柱１３ｃ，１４ｃの突出部先端と窓面とのなす角度θ2と、窓面の右側の柱１３ｄ，１４ｄの突出部先端と窓面とのなす角度θ3とに実際の数値（寸法）を入力可能に構成される。そしてこれらの数値（寸法）を入力することにより、太陽１９の方位の変化に基づく窓１３ａ，１４ａから室内への太陽光の入射の有無の判定を次のように行うことができる。太陽１９の方位として、例えば真東を基準とする太陽１９の方位角をα（ラジアン）とし、窓面の方位として、例えば真東を基準とする窓面の方位角をβ（ラジアン）とするとき、日の出方向（午前）では、次の式（２）が成立するときに、太陽光が窓１３ａ，１４ａに照射されていると判断される。
α＞（（β＋θ2）−π／２）    ……（２）
また、日の入り方向（午後）では、次の式（３）が成立するときに、太陽光が窓１３ａ，１４ａに照射されていると判断される。
α＜（（β─θ3）＋π／２）    ……（３）
なお、上記式（２）及び式（３）中のθ2は及びθ3は次の式（４）及び式（５）によりそれぞれ算出される。
θ2＝ｔａｎ-1（Ｍ1／Ｂ）        ……（４）
θ3＝ｔａｎ-1（Ｍ2／Ｂ）        ……（５）
また、現在の太陽１９の方位角α（ラジアン）は、スマートフォン１８の有するＧＰＳ機能及び時刻同期機能と、１年における日時の変化に対する太陽方位の変化を示すマップとにより算出され、窓面の方位角β（ラジアン）はコンパス機能により算出される。
【００２６】
一方、第１及び第２メインコントローラ２１，２２のモニタを含む操作盤を操作することにより、各電動ブラインド１１のスラット１１ａを所望の傾斜角度又は所望の高さに変更可能に構成される。具体的には、第１メインコントローラ２１のモニタを含む操作盤を操作することにより、第１メインコントローラ２１が左側の窓１３ａの３台の駆動用コントローラ１６を介して左側の窓１３ａの３台の電動モータを同時に駆動し、左側の窓１３ａの３台の電動ブラインド１１のスラット１１ａを所望の傾斜角度又は所望の高さに変更できるように構成される。また、第２メインコントローラ２２のモニタを含む操作盤を操作することにより、第２メインコントローラ２２が右側の窓１４ａの２台の駆動用コントローラ１６を介して右側の窓１４ａの２台の電動モータを同時に駆動し、右側の窓１４ａの２台の電動ブラインド１１のスラット１１ａを所望の傾斜角度又は所望の高さに変更できるように構成される。また、第１メインコントローラ２１のモニタを含む操作盤を操作することにより、第１メインコントローラ２１が左側の窓１３ａの１又は２台の駆動用コントローラ１６を介して左側の窓１３ａの１台又は２台の電動モータのみを駆動し、左側の窓１３ａの１台又は２台の電動ブラインド１１のスラット１１ａのみを所望の傾斜角度又は所望の高さに変更できるように構成される。更に、第２メインコントローラ２２のモニタを含む操作盤を操作することにより、第２メインコントローラ２２が右側の窓１４ａの１台の駆動用コントローラ１６を介して右側の窓１４ａの１台の電動モータのみを駆動し、右側の窓１４ａの１台の電動ブラインド１１のスラット１１ａのみを所望の傾斜角度又は所望の高さに変更できるように構成される。
【００２７】
このように構成された電動日射遮蔽装置１０の第１及び第２メインコントローラ２１，２２の初期設定をスマートフォン１８により行う手順を図２のフローチャートに基づいて説明する。
（Ａ）予めスマートフォン１８の有する機能を用いた左側の窓環境の初期設定
先ずスマートフォン１８で、上記初期設定を行うためのアプリケーションソフトを起動する。そしてスマートフォン１８を、電動ブラインド１１が取付けられた左側の窓１３ａが正面となるように、この左側の窓１３ａに向けた状態で、スマートフォン１８の画面上の情報読込ボタンを押す。これにより、アプリケーションソフトが、予めスマートフォン１８の有する機能から「現在時刻」（例えば、１０時３２分）、「緯度及び経度」（例えば、東京都文京区…番…号）、及び「方位」（例えば、南南西方位）という情報を自動検出し、これらの情報をスマートフォン１８の表示画面に表示する。この情報が正しいかどうかを確認し、正しければ、スマートフォン１８の画面上の送信ボタンを押す。なお、上記情報が正しくない場合には、スマートフォン１８を電動ブラインド１１が取付けられた左側の窓１３ａに向けた状態で、スマートフォン１８の画面上の情報読込ボタンを再び押し、スマートフォン１８の表示画面に正しい情報が表示されるまでこの操作を繰返す。
【００２８】
スマートフォン１８の画面上の送信ボタンを押すと、アプリケーションソフトは通信環境が正しいか否かを判断する。具体的には、無線通信規格がブルートゥース規格である場合、第１メインコントローラ２１と通信接続できるか否かを判断し、無線通信規格が無線ＬＡＮ規格である場合、第１メインコントローラ２１を認識できるか否かを判断する。そして第１メインコントローラ２１と通信接続できるか、或いは第１メインコントローラ２１を認識できる場合には、アプリケーションソフトは第１メインコントローラ２１に無線通信により上記情報を送信する。ここで、第１メインコントローラ２１と通信接続できないか、或いは第１メインコントローラ２１を認識できない場合には、アプリケーションソフトはスマートフォン１８の表示画面に「通信環境が不安定です。」と表示する。この場合、スマートフォン１８の画面上の送信ボタンを再び押し、「通信環境が不安定です。」と表示されなくなるまで繰返す。
【００２９】
スマートフォン１８の画面上に「通信環境が不安定です。」と表示されない場合には、送信ボタンを押すことにより、上記情報がスマートフォン１８から第１メインコントローラ２１に送信され、この情報を第１メインコントローラ２１が受信すると、第１メインコントローラ２１は上記情報を第１メモリに記憶するとともに、スマートフォン１８の初期設定完了のアンサーを送信する。ここで、スマートフォン１８が第１メインコントローラ２１からの初期設定完了のアンサーの受信に成功すると、アプリケーションソフトはスマートフォン１８の表示画面に「設定完了」と表示する。しかし、スマートフォン１８が第１メインコントローラ２１からの初期設定完了のアンサーを受信できない場合には、アプリケーションソフトはスマートフォン１８の表示画面に「初期設定に失敗しました。」と表示する。この場合、スマートフォン１８の画面上の送信ボタンを再び押し、「初期設定に失敗しました。」と表示されなくなるまで繰返す。スマートフォン１８の表示画面に「設定完了」の表示がされた場合には、アプリケーションソフトを終了する。これにより初期設定のうち、予めスマートフォン１８の有する機能から得られた情報を第１メインコントローラ２１を介して第１メモリに記憶させる初期設定が完了する。
【００３０】
このように、予めスマートフォン１８の有する上記必要な情報を、そのまま左側の窓１３ａの情報として用いることができるので、特別な設定機器を用いず、また上記必要な情報を手入力する必要がなく、上記初期設定を容易に行うことができる。即ち、スマートフォン１８が、ＧＰＳ機能、コンパス機能、及び時刻同期機能を予め有するので、電動ブラインド１１を設置する左側の窓１３ａの情報である、左側の窓１３ａの緯度及び経度、並びに左側の窓１３ａの方位を設定するための特別な設定機器を用いず、また従来必要であった正確な現在時刻を持つ高価なシステムを構築せずに、上記初期設定を容易に行うことができる。この結果、ビル等の大規模な窓環境だけでなく、一戸建ての家屋や商業店舗などの小規模な窓環境にも容易に導入できる。
【００３１】
（Ｂ）予めスマートフォン１８の有する機能を用いた右側の窓環境の初期設定
先ずスマートフォン１８で、上記初期設定を行うためのアプリケーションソフトを起動する。そしてスマートフォン１８を、電動ブラインド１１が取付けられた右側の窓１４ａが正面となるように、この右側の窓１４ａに向けた状態で、スマートフォン１８の画面上の情報読込ボタンを押す。以下の操作は、「（Ａ）予めスマートフォン１８の有する機能を用いた左側の窓環境の初期設定」と同様であるので、繰返しの説明を省略する。なお、各電動モータを自動制御するための初期設定を、移動通信端末装置からなるスマートフォン１８から無線通信により、５台の駆動用コントローラ１６に対してそれぞれ行うのではなく、２台の第１及び第２メインコントローラ２１，２２に対してそれぞれ行えばよいので、上記初期設定を容易に行うことができる。
【００３２】
（Ｃ）上記（Ａ）及び（Ｂ）以外の自動制御のための初期設定
上記スマートフォン１８のアプリケーションソフトには、図３及び図４に示すような窓環境の設定を比較的簡単な手入力で行える機能を備えているため、図３に示す左側の窓１３ａの各寸法Ｈ1，Ｈ2，Ｈ3，Ｌ及びＳを実測して、これらの値をスマートフォン１８の表示画面に手入力するとともに、図４に示す左側の窓１３ａの各寸法Ｍ１，Ｍ２及びＢを実測して、これらの値をスマートフォン１８の表示画面に手入力する。そして、これらのデータをスマートフォン１８から無線通信で第１メインコントローラ２１に送信すると、第１メインコントローラ２１は第１メモリにこれらのデータを記憶する。ここで、上記アプリケーションソフトは、上記式（１）〜式（５）や、１年における日時の変化に対する太陽高度の変化を示すマップも、スマートフォン１８から無線通信で第１メインコントローラ２１に送信するので、第１メインコントローラ２１は上記式及びマップも第１メモリに記憶する。上記実測作業及び上記無線通信を右側の窓１４ａについても行う。これにより左側の窓１３ａに取付けられた３台の電動ブラインド１１を自動制御するための初期設定と、右側の窓１４ａに取付けられた２台の電動ブラインド１１を自動制御するための初期設定が全て完了する。
【００３３】
次に初期設定が完了した電動ブラインド１１の動作を説明する。第１メインコントローラ２１は、第１メモリに記憶された情報から太陽１９の高度及び方位を算出し、上記式（１）〜式（５）から実際に太陽光が左側の窓１３ａから室内どれだけ入射するかを算出して、左側の窓１３ａに取付けられた３台の電動ブラインド１１の各電動モータを各駆動用コントローラ１６を介して制御することにより、これらの電動ブラインド１１のスラット１１ａを最適な傾斜角度及び最適な昇降位置になるように調整する。また第２メインコントローラ２２は、第２メモリに記憶された情報から太陽１９の高度及び方位を算出し、上記式（１）〜式（５）から実際に太陽光が右側の窓１４ａから室内どれだけ入射するかを算出して、右側の窓１４ａに取付けられた２台の電動ブラインド１１の各電動モータを各駆動用コントローラ１６を介して制御することにより、これらの電動ブラインド１１のスラット１１ａを最適な傾斜角度及び昇降位置に制御する。
【００３４】
一方、太陽１９が雲に隠れたり、或いは太陽１９が周囲の建物に隠れて、太陽光が左側の窓１３ａに照射されないことを第１照度センサ３１が検出すると、第１メインコントローラ２１は、この第１照度センサ３１の検出出力に基づき、左側の窓１３ａに取付けられた３台の電動ブラインド１１の各電動モータを各駆動用コントローラ１６を介して制御することにより、これらの電動ブラインド１１のスラット１１ａをその角度が水平になるように回転させる。また、太陽１９が雲に隠れたり、或いは太陽１９が周囲の建物に隠れて、太陽光が右側の窓１４ａに照射されないことを第２照度センサ３２が検出すると、第２メインコントローラ２２は、この第２照度センサ３２の検出出力に基づき、右側の窓１４ａに取付けられた２台の電動ブラインド１１の各電動モータを各駆動用コントローラ１６を介して制御することにより、これらの電動ブラインド１１のスラット１１ａをその角度が水平になるように回転させる。この結果、直射日光が左側の窓１３ａ及び右側の窓１４ａから入射することなく、室内を明るくすることができるので、室内を常に最適な明るさに維持できる。
【００３５】
なお、上記実施の形態では、遮蔽装置として複数のスラットを有する電動ブラインドを挙げ、駆動装置として複数のスラットを昇降するとともにスラットの傾斜角度を変更する電動モータを挙げたが、遮蔽装置が、スクリーン本体を有する電動ロールスクリーン、電動プリーツスクリーン、電動キャノピー（canopy）又は電動オーニング（awning）であるか、シャッタ本体を有する電動シャッタであるか、シート本体を有する電動シートであるか、或いはネット本体を有する電動ネットであり、駆動装置が、スクリーン本体、シャッタ本体、シート本体、或いはネット本体を昇降する電動モータであってもよい。また、上記実施の形態における遮蔽装置及び駆動用コントローラの台数は例示であって、これらの台数に限定されるものではない。また、上記実施の形態では、メインコントローラの台数を２台としたが、遮蔽装置より少ない台数であれば１台又は３台以上でもよい。また、上記実施の形態では、５台の遮蔽装置を挙げたが、遮蔽装置が１台である場合には、メインコントローラ及び駆動用コントローラのそれぞれの制御を１台のコントローラで行ってもよい。また、上記実施の形態では、設定装置としてスマートフォンを挙げたが、設定装置として携帯電話機又はタブレットからなる移動通信端末装置を用いてもよい。更に、上記実施の形態では、環境センサとして窓への日射の有無を検出する照度センサを挙げたが、これに代えて又はこれに加えて、窓への紫外線照射の有無を検出する紫外線センサや、窓の外の気温を検出する温度センサ等を用いてもよい。これらのセンサの検出出力に基づいて駆動装置（電動モータ）を駆動することにより、日射遮蔽体（スラット）のきめ細かい制御が可能となり、室内をより快適にすることができる。
【符号の説明】
【００３６】
１０  電動日射遮蔽装置
１１  電動ブラインド（遮蔽装置）
１１ａ  スラット（日射遮蔽体）
１２  コントローラ
１６  駆動用コントローラ
１８  スマートフォン（設定装置、移動通信端末装置）
２１  第１メインコントローラ
２２  第２メインコントローラ
３１  第１照度センサ
３２  第２照度センサ
【図１】
2016053255.tif 000003
【図２】
2016053255.tif 000004
【図３】
2016053255.tif 000005
【図４】
2016053255.tif 000006